(57)【要約】【課題】  立った状態の楽な作業姿勢で効率よく切断及び面取り作業を行うことができ、さらに、作業スペースの省スペース化を図ることができるボード切断機の提供を目的とする。【解決手段】  ボード切断機１は、石膏ボード１０の裏面１２から切断する切断用刃物２１と、石膏ボード１０の表面１１から、切断部を面取りする面取り用刃物２５を有する切断手段２を備え、切断手段２の切断用刃物２１と面取り用刃物２５の間を石膏ボード１０が通過するとき、石膏ボード１０を切断するとともに切断部を面取りする構成としてある。  【選択図】  図２
2006240126.tif 000002
【特許請求の範囲】
【請求項１】
ボードの両面から該ボードを切断する切断用刃物を有する切断手段と、
前記ボードを載置する載置台と、
前記載置台に設けられ、前記ボードに対して前記切断手段を所定方向に移動させる移動手段とを備え、
前記切断手段の切断用刃物と切断用刃物の間を前記ボードが通過するとき、該ボードを切断することを特徴としたボード切断機。
【請求項２】
ボードの少なくとも一側から該ボードを切断する切断用刃物と、前記ボードの少なくとも他側から、前記切断用刃物によって切断される切断部を面取りする面取り用刃物とを有する切断手段と、
前記ボードを載置する載置台と、
前記載置台に設けられ、前記ボードに対して前記切断手段を所定方向に移動させる移動手段とを備え、
前記切断手段の切断用刃物と面取り用刃物の間を前記ボードが通過するとき、該ボードを切断するとともに切断部を面取りすることを特徴としたボード切断機。
【請求項３】
前記切断手段が、前記刃物が取り付けられる刃物受けを有し、前記刃物受けが、前記移動手段に、切断方向を変更可能に設けられたことを特徴とした請求項１又は２記載のボード切断機。
【請求項４】
前記移動手段が、前記切断手段を垂直方向に移動自在に支持する垂直方向移動手段と、この垂直方向移動手段を水平方向に移動自在に支持する水平方向移動手段とからなることを特徴とした請求項１〜３のいずれか一項に記載のボード切断機。
【請求項５】
前記載置台が、前記ボードの下縁を支持するボード支持手段と、前記ボードの裏面を支えるボード裏支え手段を備えたことを特徴とした請求項１〜４のいずれか一項に記載のボード切断機。
【請求項６】
前記ボード支持手段が、両端に前記ボードを支持する支持部を有するとともに、前記載置台に回動可能に設けられ、前記移動手段によって押されたときに回動して、前記ボードを支持する支持部を交代させることを特徴とした請求項５記載のボード切断機。
【請求項７】
前記載置台に、前記ボード切断機を切断方向に傾斜させる傾斜手段を設けたことを特徴とした請求項１〜６のいずれか一項に記載のボード切断機。
【発明の詳細な説明】
【技術分野】
【０００１】
本発明は、ボード切断機に関し、特に、石膏ボードを水平方向や垂直方向に切断するとともに切断部の面取りを行うことができ、作業性を大幅に向上させることのできるボード切断機に関する。
【背景技術】
【０００２】
石膏ボードは、建築物の内装用の壁や天井の下地材として、広く使用されている。一般的に、石膏ボードは、石膏粉を平板状に固め、その両面に紙を貼り付けた構造となっている。
【０００３】
上述したように石膏ボードは定尺で販売されるため、建築物に応じて切断する必要がある。建築現場における一般的な切断方法は、石膏ボードの両面にカッターナイフで切り込みを入れ、その切り込みに沿って折る方法が用いられている。この切断方法は、切断後の切口に凹凸ができるため、専用のかんな等で切断面を仕上げる必要があり作業性を改善する必要があった。また、切口に凹凸ができないように、丸鋸等で切断する方法もあるが、この場合には、大量の切断粉が発生し、作業環境が悪くなるといった欠点があった。
このため、石膏ボードを切断する技術が様々提案され開示されてきた。
【０００４】
たとえば、石膏ボード等の建築用ボードの表裏両面に案内されて移動可能な上下一対の支持体と、この両支持体の間隔を保持する間隔保持部材と、両支持体の間に介在されて建築用ボードの端面を位置規制する位置規制部材と、両支持体に対しホルダーを介して取り付けられ、かつ建築用ボードの表裏両面に切り込みを形成する上下一対の刃体とを備えた建築用ボードの切断具の技術が開示されている（たとえば、特許文献１）。
この技術によれば、建築用ボードの切断作業を迅速かつ安全に行うことができる。
【０００５】
また、石膏ボード等の被面取り材の表面と側面に対して横部と縦部とで当接するＬ字形の台材に、横部と縦部のコーナー部に存する被面取り材の角を面取りするよう刃面を傾けた円板カッターを台材の前後中央位置に設けた取付軸に回転可能に装着した石膏ボード等の面取り具の技術が開示されている（たとえば、特許文献２）。
この技術によれば、石膏ボード等の面取りを能率良く、省力的に行なうことができる。
【０００６】
さらに、石膏ボードの切断加工と切断部の稜部片側の面取り加工を丸ノコによりほぼ同時に行う装置であって、切断用丸ノコの片面又は両面に、切断用丸ノコより小径の面取り用丸ノコを着脱自在に重ねて構成した切断装置の技術が開示されている（たとえば、特許文献３）。
この技術によれば、切断加工と切断部の稜部片側の面取り加工が一工程でほぼ同時に実施できる。
【特許文献１】特開平６−２４６６７６号公報
【特許文献２】特開２０００−２３７４７５号公報
【特許文献３】特開平１１−３００５２２号公報
【発明の開示】
【発明が解決しようとする課題】
【０００７】
しかしながら、上記特許文献１に記載された建築用ボードの切断具は、建築用ボードの切断作業を迅速かつ安全に行うことができるものの、切断後の面取り作業を別作業として行う必要があり、作業性が悪いといった問題があった。また、建築用ボードを作業床に敷いた台の上に載置して作業する必要があり、中腰の姿勢で作業する場合が多く、肉体的疲労が大きいといった問題があった。さらに、建築用ボードを敷けるだけの広い作業スペースを必要とするので、作業場所の省スペース化を図ることができないといった問題があった。
【０００８】
また、上記特許文献２に記載された石膏ボード等の面取り具は、石膏ボード等の面取りを能率良く、省力的に行なうことができるものの、切断作業を別作業として行う必要があり、作業性が悪いといった問題があった。
さらに、上記特許文献３に記載された切断装置の技術は、切断加工と切断部の稜部片側の面取り加工が一工程でほぼ同時に実施できるものの、大量の切断粉が発生し、作業環境が悪くなるといった問題があった。
【０００９】
本発明は、上記問題を解決すべく、立掛けられた状態の石膏ボードを、切断するとともに切断部の面取りを行うことにより、立った状態の楽な作業姿勢で効率よく切断及び面取り作業を行うことができ、さらに、作業場所の省スペース化を図ることができるボード切断機の提供を目的とする。
【課題を解決するための手段】
【００１０】
上記目的を達成するために、本発明のボード切断機は、ボードの両面から該ボードを切断する切断用刃物を有する切断手段と、前記ボードを載置する載置台と、前記載置台に設けられ、前記ボードに対して前記切断手段を所定方向に移動させる移動手段とを備え、前記切断手段の切断用刃物と切断用刃物の間を前記ボードが通過するとき、該ボードを切断する構成としてある。
このようにすると、切断能力を向上させることができ、建築用壁材，天井材，ベニア板等を切断することができる。また、立った状態の楽な姿勢で作業することができるとともに、ボード切断機の設置面積を含む作業場所の省スペース化を図ることができ、作業スペースが狭い場合であっても効率よく作業することができる。さらに、切断による切粉の発生が少ないので、作業環境が悪くなるといった不具合を回避することができる。
【００１１】
また、本発明のボード切断機は、ボードの少なくとも一側から該ボードを切断する切断用刃物と、前記ボードの少なくとも他側から、前記切断用刃物によって切断される切断部を面取りする面取り用刃物とを有する切断手段と、前記ボードを載置する載置台と、前記載置台に設けられ、前記ボードに対して前記切断手段を所定方向に移動させる移動手段とを備え、前記切断手段の切断用刃物と面取り用刃物の間を前記ボードが通過するとき、該ボードを切断するとともに切断部を面取りする構成としてある。
このようにすると、ボードを切断するとともに切断部を面取りすることができるので、切断作業と面取り作業をまとめて行うことができ、作業効率を向上させることができる。また、切断や面取りによる切粉の発生が少ないので、作業環境が悪くなるといった不具合を回避することができる。
【００１２】
また、本発明のボード切断機は、前記切断手段が、前記刃物が取り付けられる刃物受けを有し、前記刃物受けが、前記移動手段に、切断方向を変更可能に設けられた構成としてある。
このようにすると、たとえば、ボードを水平方向と垂直方向に切断する場合であっても、刃物受けの向きを変更することにより、容易に切断方向を変更することができる。
【００１３】
また、本発明のボード切断機は、前記移動手段が、前記切断手段を垂直方向に移動自在に支持する垂直方向移動手段と、この垂直方向移動手段を水平方向に移動自在に支持する水平方向移動手段とからなる構成としてある。
このようにすると、ボードの載置方向（横置き又は縦置き）を変更しなくても、水平方向と垂直方向に容易に切断することができる。
【００１４】
また、本発明のボード切断機は、前記載置台が、前記ボードの下縁を支持するボード支持手段と、前記ボードの裏面を支えるボード裏支え手段を備えた構成としてある。
このようにすると、ボードを安定した状態で立掛けることができるとともに、ボードのセット及び取り外しを容易に行うことができる。
【００１５】
また、本発明のボード切断機は、前記ボード支持手段が、両端に前記ボードを支持する支持部を有するとともに、前記載置台に回動可能に設けられ、前記移動手段によって押されたときに回動して、前記ボードを支持する支持部を交代させる構成としてある。
このようにすると、ボードの裏面と載置台の間を、移動手段がスムースに移動することができるので、作業性を向上させることができる。
【００１６】
また、本発明のボード切断機は、前記載置台に、前記ボード切断機を切断方向に傾斜させる傾斜手段を設けた構成としてある。
このようにすると、ボードを水平方向に切断する際、たとえば、移動手段を右斜め上方から左斜め下方に降下させながら切断できるので、重力を利用して容易に切断することができる。
【発明の効果】
【００１７】
本発明のボード切断機によれば、ボードを水平方向や垂直方向に切断するとともに切断部の面取りを行うことができるので、作業性を大幅に向上させることができる。また、立った状態の楽な作業姿勢で作業できるので、作業者の肉体的疲労を軽減することができる。さらに、作業場所の省スペース化を図ることができるとともに、鋸刃を使用しないので、大量の切断粉が発生し、作業環境が悪くなるといった不具合を回避することができる。
【発明を実施するための最良の形態】
【００１８】
図１は、本発明の一実施形態に係るボード切断機の概略正面図を示している。
また、図２は、本発明の一実施形態に係るボード切断機の概略拡大側面図を示している。
図１，２において、ボード切断機１は、石膏ボード１０を切断するとともに切断部（図示せず）を面取りする切断手段２と、石膏ボード１０が立掛けられた状態で載置される載置台３と、切断手段２を水平方向又は垂直方向に移動させる移動手段４とを備えた構成としてある。
【００１９】
（切断手段）
切断手段２は、石膏ボード１０の裏面１２側に設けられ、切断用刃物２１が取り付けられる切断用の切断手段２ａと、石膏ボード１０の表面１１側に設けられ、面取り用刃物２５が取り付けられる面取り用の切断手段２ｂとからなっている。すなわち、石膏ボード１０の裏面１２から石膏ボード１０を切断する切断用刃物２１と、石膏ボード１０の表面１１から、切断用刃物２１によって切断される切断部の両角部を面取りする二枚の面取り用刃物２５とを有する構成としてある。このようにすると、面取り用刃物２５と切断用刃物２１の間を石膏ボード１０が通過すると、石膏ボード１０を切断するとともに切断部を面取りすることができるので、切断作業と表面１１側の面取り作業をまとめて行うことができ、作業効率を向上させることができる。
【００２０】
また、本発明の石膏ボード１０に対する刃物の組合せは、上記組合せに限定されるものではない。たとえば、石膏ボード１０の表面１１側の刃物／裏面１２側の刃物の組合せとして、本実施形態の面取り用刃物２５／切断用刃物２１の他に、切断用刃物２１／面取り用刃物２５，切断用刃物２１＋面取り用刃物２５／面取り用刃物２５，面取り用刃物２５／切断用刃物２１＋面取り用刃物２５などの組合せを挙げることができる。このように、石膏ボード１０の両面側に面取り用刃物２５を設けることにより、表面１１側及び裏面１２側の面取りを行うことができる。
さらに、石膏ボード１０の両面側に切断用刃物２１を設けることも可能であり、表面１１側の刃物／裏面１２側の刃物の組合せを、切断用刃物２１／切断用刃物２１としてもよい。このようにすると、切断能力を向上させることができ、厚い石膏ボード１０を容易に切断することができる。
【００２１】
切断用刃物２１及び面取り用刃物２５は、図３及び図５に示すように、全周に刃がついた円盤状の丸刃としてある。丸刃を用いることにより、切断により所定の刃部分が磨耗した場合、丸刃を回転させ、未使用の刃部分で石膏ボード１０を切断するように、固定しなおすことができ、切断用刃物２１及び面取り用刃物２５の交換寿命を長くすることができる。
【００２２】
図３は、本発明の一実施形態に係るボード切断機の、切断用刃物側の切断手段及び移動手段を説明するための要部の概略拡大分解図を示している。
同図において、切断用刃物２１側の切断手段２ａは、切断用刃物２１と、この切断用刃物２１の中心がボルト（図示せず）によって螺着される固定板２１１と、この固定板２１１がほぼ中央に取り付けられた刃物受け２２とを備えた構成としてある。
【００２３】
刃物受け２２は、円環状の平板と、この平板の中心孔の裏面側に突設された円筒状の軸部２２ａとからなっており、この軸部２２ａが垂直方向移動板４５の円孔４５１に装入され、回転自在に垂直方向移動板４５に取り付けられる。このようにすると、刃物受け２２を回転させて、切断用刃物２１の向きを水平方向や垂直方向に調整し、たとえば、ボルト等（図示せず）を用いて、刃物受け２２を垂直方向移動板４５に固定することにより、切断用刃物２１の切断方向を自由に設定することができる。したがって、たとえば、石膏ボード１０を水平方向と垂直方向に切断する場合であっても、刃物受け２２を回転させることにより、容易に切断方向を変更することができる。
【００２４】
切断手段２ａは、従節としての刃物受け２２と、固定リンクとしての中央板２２２と、二本の連接棒２２３と、原節としての切断方向切替レバー２２４とからなる、二つのリンク機構を備えている。連接棒２２３は、ピン２２１を介して、両端が切断方向切替レバー２２４及び刃物受け２２と回転自在に連結されている。また、中央板２２２は、上端がピン２２１を介して切断方向切替レバー２２４と回転自在に連結され、下端が垂直方向移動板４５に固定されている。このようにすると、上方の切断方向切替レバー２２４を、中央板２２２上端のピン２２１を中心として、正面方向から見て反時計廻り方向に回転させると、図３に示すように、刃物受け２２が反時計廻り方向に回転し、切断用刃物２１が水平方向を向くので、石膏ボード１０を水平方向に切断することができる。また、図４に示すように、切断方向切替レバー２２４を、正面方向から見て時計廻り方向に回転させると、刃物受け２２が時計廻り方向に回転し、切断用刃物２１が垂直方向を向くので、石膏ボード１０を垂直方向に切断することができる。
【００２５】
図５は、本発明の一実施形態に係るボード切断機の、面取り用刃物側の切断手段を説明するための要部の概略拡大分解図を示している。
同図において、面取り用刃物２５側の切断手段２ｂは、上記切断手段２ａと比べて、切断用刃物２１の代わりに、二枚の面取り用刃物２５を備えた点が相違する。他の構成要素は切断手段２ａとほぼ同様としてある。また、面取り用刃物２５，２５を備えた切断手段２ｂは、切断用刃物２１を備えた切断手段２ａと対向して設けられている（図２参照）。
したがって、図５において、図３と同様の構成部分については同一の符号を付して、その詳細な説明を省略する。
【００２６】
切断手段２ｂは、円環状の刃物受け２２のほぼ中央部に、対向して取り付けられた一対の固定板２５１を有しており、固定板２５１のテーパ面２５２に、面取り用刃物２５が、刃先先端が近付くように取り付けられている。
また、図６に示すように、面取り用刃物２５（適宜、２５ａ，２５ｂと分けて説明する。）及び切断用刃物２１は、刃物２５ａ，２５ｂの刃先先端Ｃ１，Ｃ３と、刃物２１の刃先先端Ｃ２が、切断方向に対してたとえばＣ１，Ｃ２，Ｃ３の順となるように、かつ、側面方向から見ると、各刃先先端Ｃ１，Ｃ２，Ｃ３が一点Ｃ０に集束するよう並設されている。このようにすると、各刃先先端Ｃ１，Ｃ２，Ｃ３どうしの干渉を回避するとともに、図７に示すように、切断面１３及び面取り面１４を綺麗に仕上げることができる。
【００２７】
また、切断手段２ｂは、連接棒２２３の上端が、ピン２２１を介して、切断手段２ａの切断方向切替レバー２２４と回転自在に連結され、また、中央板２２２の上端が、ピン２２１を介して、切断手段２ａの切断方向切替レバー２２４と回転自在に連結されている。すなわち、切断手段２ｂは、切断手段２ａの切断方向切替レバー２２４（図２参照）を共用している。このようにすると、一つの切断方向切替レバー２２４を回転させることにより、切断用刃物２１と面取り用刃物２５の切断方向を同期して変更することができる。また、一つの切断方向切替レバー２２４を昇降させることにより、切断用刃物２１と面取り用刃物２５の垂直方向への移動を同期して行うことができるので、作業性を向上させることができる。さらに、切断用刃物２１と面取り用刃物２５の切断方向や垂直方向位置を、常に精度よく一致させることができ、切断用刃物２１と面取り用刃物２５の切断方向や垂直方向位置がずれるといった不具合を回避することができる。
なお、本実施形態では、面取り角度を約４５°としてあるが、この角度に限定されるものではない。また、切断部の両側（図７においては、上側と下側）を面取りしているが、いずれか一方を面取りする構成としてもよい。
【００２８】
また、図示してないが、切断手段２ｂは、刃物受け２２の回転を規制する回転規制手段（たとえば、垂直方向移動板４５と刃物受け２２に嵌入されるノックピンや、中央板２２２に対して連接棒２２３の位置を固定するための固定板とピン等）を備えている。このようにすると、切断方向切替レバー２２４を操作し、切断用刃物２１及び面取り用刃物２５の向きを水平方向や垂直方向等に容易にかつ精度よく合わせることができるとともに、その状態を維持したまま固定することができる。
【００２９】
（移動手段）
移動手段４は、切断手段２ａを移動させる主移動手段４ａと、この主移動手段４ａと対向して設けられ、切断手段２ｂを移動させる従移動手段４ｂとからなっている。
主移動手段４ａは、図３に示すように、垂直方向移動板４５と、水平方向移動部材４１ａと、水平方向移動用のレール４１１とからなっている。
垂直方向移動板４５は、中央に円孔４５１が形成された正方形の平板であり、垂直方向移動用の一対のレール４５３を挟み込む溝付きのローラ４５２が、四隅に回転自在に設けられている。このようにすると、垂直方向移動板４５は、溝付きのローラ４５２がレール４５３を挟み込むことにより、正面・裏面方向の位置が規定され、さらに、一対のレール４５３の間に、水方向に対向する二組のローラ４５２が装入されるので、水平方向の位置が規定される。すなわち、垂直方向移動板４５は、レール４５３に沿って垂直方向にのみ移動するので、石膏ボード１０を縦方向に切断する際、安定した状態で石膏ボード１０を切断することができる。
【００３０】
水平方向移動部材４１ａは、基板４１２と側板４１３からなる溝形状を形成する縦長の板材と、側板４１３の先端に設けられたレール４５３と、基板４１２の裏面側の四隅に設けられたローラ４１４とからなっている。この水平方向移動部材４１ａは、溝付きのローラ４１４がレール４１１を挟み込むように、載置台３に設けられた二本のレール４１１に載置される。このようにすると、水平方向移動部材４１ａは、正面・裏面方向及び垂直方向の位置が規定され、さらに、レール４１１に沿って、水平方向に移動することができる。また、主移動手段４ａは、ローラ４１４をレール４１１に載せることにより、容易に分解組立が可能な組立式とすることができ、ボード切断機１を搬送する際、移動手段４と載置台３を分割して容易に搬送することができる。
【００３１】
また、主移動手段４ａは、図示してないが、垂直方向に向けた切断用刃物２１の水平方向の位置を測定するための水平方向位置測定手段（たとえば、上方のレール４１１の近傍に取り付けられた、スケールを貼り付けたレールと、水平方向移動部材４１ａと連結され、上記スケール上を移動する指針とからなる水平方向位置測定手段など）を備えた構成とするとよい。このようにすると、石膏ボード１０を垂直方向に切断する際、切断用刃物２１を切断位置に効率よくかつ精度よく位置合わせすることができる。
【００３２】
さらに、主移動手段４ａは、図８に示すように、主移動手段４ａがレール４１１に対して直角を維持した状態で移動するように、水平方向同期移動手段（たとえば、上下のレール４１１に沿って載置台３に固定された上下一対のラック４６１と、水平方向移動部材４１ａに回転自在に設けられた一本の回転軸４６３と、上記一対のラック４６１と噛み合う、回転軸４６３の両端に固定された一対のピニオン４６２とからなる水平方向同期移動手段など）を備えた構成とするとよい。このようにすると、たとえば、主移動手段４ａの上部を水平方向に押すと、この力が回転軸４６３及びピニオン４６２を介して下方のラック４６１に伝達され、主移動手段４ａの上部と下部が同期した状態で水平方向に移動する。したがって、石膏ボード１０の下部を水平方向方向に切断する場合に、主移動手段４ａの上部を水平方向に押しても、刃物２１，２５の抵抗を受けて主移動手段４ａが押し方向に傾斜してしまうといった不具合を回避することができる。これによって、石膏ボード１０を安定して切断することが可能となる。
【００３３】
なお、上記水平方向同期移動手段は、ピニオン４６２の回転を防止する回転防止部材（図示せず）を設けると固定手段としても機能し、石膏ボード１０を垂直方向に切断する際、位置合わせされた主移動手段４ａを、水平方向に移動しないように、載置台３に固定することができる。
また、本実施形態の主移動手段４ａは、手動で水平方向に移動させる構成としてあるが、この構成に限定されるものではなく、たとえば、上記ピニオン４６２をステッピングモータ等で駆動する構成としてもよい。このようにすると、主移動手段４ａの移動，位置合わせ及び固定を、自動的に行うことができる。
さらに、切断用刃物２１は、切断する際、裏面方向に大きな力を受けるので、図９に示すように、垂直方向移動板４５に垂直方向に走行するローラ４７１を設け、水平方向移動部材４１ａの基板４１２の正面側に、上記ローラ４７１が走行するレール４７２を設けてもよく、このようにすると、切断用刃物２１を安定して垂直方向に移動させることができる。
【００３４】
切断手段２ｂを移動させる従移動手段４ｂは、連結板４６によって、切断手段２ａと切断手段２ｂが対向するように、主移動手段４ａと連結されている（図２参照）。この従移動手段４ｂは、図５に示すように、垂直方向移動板４５と、水平方向移動部材４１ｂとからなっている。
従移動手段４ｂは、主移動手段４ａと比べて、ローラ４１４の代わりに連結板４６が設けられ、この連結板４６によって、水平方向移動部材４１ｂが水平方向移動部材４１ａと連結された構成としてある。他の構成要素は主移動手段４ａとほぼ同様としてある。
したがって、図５において、図３と同様の構成部分については同一の符号を付して、その詳細な説明を省略する。
【００３５】
水平方向移動部材４１ｂは、連結板４６を介して、水平方向移動部材４１ａと連結されており、水平方向移動部材４１ａが水平方向に移動すると、同期して水平方向に移動し、水平方向移動部材４１ａが位置決めされると、一緒に位置決めされる。また、切断手段２ｂは、垂直方向移動板４５に取り付けられているので、垂直方向に自在に移動することができる。
なお、連結板４６は、水平方向移動部材４１ｂの上端部及び下端部に設けられており、横向きに立掛けられた石膏ボード１０の上方及び下方を移動するので、石膏ボード１０と干渉することはない。
【００３６】
また、従移動手段４ｂは、図示してないが、水平方向に向けた切断用刃物２１の垂直方向の位置を測定するための垂直方向位置測定手段（たとえば、中央板２２２の正面に貼り付けられたスケールと、水平方向移動部材４１ｂの上部と連結され、上記スケール上を移動する指針とからなる垂直方向位置測定手段など）を備えた構成とするとよい。このようにすると、石膏ボード１０を水平方向に切断する際、切断用刃物２１を切断位置に効率よくかつ精度よく位置合わせすることができる。
【００３７】
さらに、従移動手段４ｂは、図１０に示すように、垂直方向の位置合わせされた状態を維持するための固定手段（たとえば、水平方向移動部材４１ｂに設けられたラック４８１と、このラック４８１と噛み合う、垂直方向移動板４５に回転自在に軸支されたピニオン４８２と、ピニオン４８２の回転を防止する回転防止部材（図示せず）とからなる固定手段など）を備えた構成とするとよい。このようにすると、石膏ボード１０を水平方向に切断する際、位置合わせされた垂直方向移動板４５を、垂直方向に移動しないように、水平方向移動部材４１ｂに固定することができる。
なお、本実施形態の従移動手段４ｂは、手動で垂直方向に移動させる構成としてあるが、この構成に限定されるものではなく、たとえば、上記ピニオン４８２をステッピングモータで駆動する構成としてもよい。このようにすると、垂直方向移動板４５の移動，位置合わせ及び固定を、自動的に行うことができる。
【００３８】
（載置台）  
載置台３は、図１，２に示すように、台形状の一対のフレーム３１と、このフレーム３１の上部及び下部に架設された一対のレール４１１と、下部のレール４１１の上方に設けられたボード支持手段３２と、このボード支持手段３２と上部のフレーム３１との間に二段に設けられたボード裏支え手段３５とを備えた構成としてある。
【００３９】
図１１は、本発明の一実施形態に係るボード切断機の載置台を説明するための要部の概略図であり、（ａ）は図２におけるＡ−Ａ断面図を、（ｂ）は図２におけるＢ−Ｂ断面図を示している。
同図において、ボード支持手段３２は、フレーム３１に固定された梁部材３２０に四つ設けられており、また、ボード裏支え手段３５は、フレーム３１に固定された梁部材３５０に四つ設けられている。
【００４０】
図１２は、本発明の一実施形態に係るボード切断機のボード支持手段を説明するための要部の概略拡大図であり、（ａ）は斜視図を、（ｂ）は上面図を示している。
同図において、ボード支持手段３２は、鈍角をなすように形成された左アーム３２１１及び右アーム３２１２からなる支持部材３２１と、支持部材３２１を所定位置に係止する係止部材３２２を備えた構成としてある。
【００４１】
支持部材３２１は、平面形状がブーメラン状をしており、その中央部が回動軸３２３によって、回動自在に支持されている。また、支持部材３２１の両側のアーム３２１１，３２１２は、先端に、石膏ボード１０が載置される段付き部（ボード支持部）３２１３が形成され、正面側に曲面３２１４が形成してある。また、アーム３２１１，３２１２の裏面側中央部に三角形状の係止溝３２１５が形成されている。
【００４２】
係止部材３２２は、上記係止溝３２１５に係入されるくさび３２２１と、水平方向に移動する水平方向移動部材４１ａと当接する当接部３２２２を備えた構造としてある。当接部３２２２は、中央部が正面側に突出し、左右両側にテーパ面が形成されており、水平方向に移動する水平方向移動部材４１ａと当接すると、圧縮ばね（図示せず）等により正面側方向に付勢された係止部材３２２がカム機構の従動部として機能し、裏面側方向に移動する。なお、上記カム機構においては、水平方向移動部材４１ａが原動部として機能する。
【００４３】
水平方向移動部材４１ａの両側に、段付き部３２１３に載置された石膏ボード１０を下方から支持する載置ローラ４５４が設けてある。
また、水平方向移動部材４１ａの裏面側の両角部に、当接部３２２２及び曲面３２１４と当接する当接ローラ４５５を設けるとよく、このようにすると、当接部３２２２や曲面３２１４と当接する際の摩擦抵抗を低減することができるので、主移動手段４ａをスムースに移動させることができる。
【００４４】
次に、ボード支持手段３２の動作について説明する。
図１２（ｂ）に示すように、ボード支持手段３２は、正面方向に付勢された係止部材３２２のくさび３２２１が、右アーム３２１２の係止溝３２１５に係入されるので、当接ローラ４５５が当接部３２２２と当るまで、左アーム３２１１が石膏ボード１０を載置する状態を保持することができる。
【００４５】
図１３は、本発明の一実施形態に係るボード切断機のボード支持手段の動作を説明するための要部の概略拡大図であり、（ａ）は係止部材が係止を解除した状態の上面図を、（ｂ）は支持部材が回動した後、係止部材によって係止された状態の上面図を示している。
同図（ａ）において、係止部材３２２は、当接部３２２２が、左方向に移動する当接ローラ４５５及び基板４１２と当接し、カム機構により裏面側に移動するので、くさび３２２１が右アーム３２１２の係止溝３２１５から外れて、回動自在な状態となる。続いて、当接ローラ４５５が、左アーム３２１１の曲面３２１４と当接すると、図示してないが、回動自在な支持部材３２１が当接ローラ４５５に押されて時計回り方向に回動し、右アーム３２１２の段付き部３２１３が石膏ボード１０の下部に移動し石膏ボード１０を載置する。なお、支持部材３２１が回動する際、載置ローラ４５４が、一時的に支持されなくなる石膏ボード１０を支持する。
【００４６】
次に、図１３（ｂ）に示すように、係止部材３２２は、左方向に移動する基板４１２及び当接ローラ４５５が当接部３２２２を通過すると、図示しないばねの付勢力により正面側に移動するので、くさび３２２１が左アーム３２１２の係止溝３２１５に係入され、支持部材３２１を係止する。なお、水平方向移動部材４１ａが左から右方向に移動する場合は、上記動作を戻ることにより、支障なく右方向移動することができる。すなわち、ボード支持手段３２は、裏面方向から石膏ボード１０を支持しているが、石膏ボード１０の裏面側を移動する水平方向移動部材４１ａが、支障なく通過できる構成としてある。
【００４７】
ボード裏支え手段３５は、ボード支持手段３２と比べて、段付き部３２１２を設けない構造とした点が相違する。すなわち、ボード裏支え手段３５は、各アーム３２１１，３２１２の先端部端面が、石膏ボード１０を裏面側から支えることができ、かつ、上述したボード支持手段３２と同様に、石膏ボード１０の裏面側を移動する水平方向移動部材４１ａが、支障なく通過できる構成としてある。
【００４８】
次に、上記構成のボード切断機１の水平方向の切断動作について、図面を参照して説明する。
図１４は、本発明の一実施形態に係るボード切断機が、石膏ボードを水平方向に切断する状態を説明するための要部の概略図であり、（ａ）は切断前の状態の斜視図を、（ｂ）は切断中の斜視図を示している。
同図において、ボード切断機１は、移動手段４が右端に移動され、石膏ボード１０が、ボード支持手段３２の段付き部３２１３に載置され、裏面側からボード裏支え手段３５に支えられた状態で、載置台３に立掛けられる。このようにすると、ボード切断機１は、ボード切断機１の設置スペース及び作業場所を省スペース化することができるとともに、作業者が立った姿勢で作業することができるので、肉体疲労を軽減することができる。
なお、理解しやすいように、従移動手段４ｂ及び切断手段２ｂを省略して図示してある。
【００４９】
ボード切断機１は、切断方向切替レバー２２４が反時計回り方向に回動され、切断用刃物２１及び面取り用刃物２５が、水平方向を向いた状態で垂直方向移動板４５に固定されている。したがって、切断途中で切断方向がずれるといった不具合を防止することができる。
また、切断方向切替レバー２２４を昇降させ、切断用刃物２１及び面取り用刃物２５の垂直方向の位置を調整し、垂直方向移動板４５を水平方向移動部材４１ａに対して固定する。これにより、切断中に垂直方向移動板４５が移動しないので、石膏ボード１０を水平方向に精度よく切断することができる。
【００５０】
切断用刃物２１及び面取り用刃物２５の切断方向及び垂直方向の位置が設定された後、移動手段４を左方向に移動させると、石膏ボード１０は、同図（ｂ）に示すように、正面側からは、面取り用刃物２５によって面取りされるとともに、裏面側からは、切断用刃物２１によって切断される。すなわち、移動手段４を左側に移動させることにより、石膏ボード１０を面取りされた状態で切断することができ、作業効率を大幅に向上させることができる。
【００５１】
次に、上記構成のボード切断機１の垂直方向の切断動作について、図面を参照して説明する。
図１５は、本発明の一実施形態に係るボード切断機が、石膏ボードを垂直方向に切断する状態を説明するための要部の概略図であり、（ａ）は切断前の状態の斜視図を、（ｂ）は切断中の斜視図を示している。
同図（ａ）において、石膏ボード１０は、ボード支持手段３２の段付き部３２１３に載置され、裏面側からボード裏支え手段３５に支えられた状態で、載置台３に立掛けられる。
なお、理解しやすいように、従移動手段４ｂ及び切断手段２ｂを省略して図示してある。
【００５２】
図１５（ａ）の状態は、図示してないが、以下の作業によって行われる。
まず、ボード切断機１は、移動手段４が右端に移動されており、切断方向切替レバー２２４が時計回り方向に回動され、切断用刃物２１及び面取り用刃物２５が、垂直方向を向いた状態で垂直方向移動板４５に固定されている。
続いて、切断用刃物２１及び面取り用刃物２５が石膏ボード１０と接触しない高さまで切断方向切替レバー２２４を上昇させた後、移動手段４を左方向に移動させ、水平方向の位置を調整し、水平方向移動部材４１ａを載置台３に対して固定する。これにより、切断中に水平方向移動部材４１ａが水平方向に移動しないので、石膏ボード１０を垂直方向に精度よく切断することができる。
【００５３】
切断用刃物２１及び面取り用刃物２５の切断方向及び水平方向の位置が設定された後、垂直方向移動板４５を下方に移動させると、同図（ｂ）に示すように、石膏ボード１０が、正面側からは、面取り用刃物２５によって面取りされるとともに、裏面側からは、切断用刃物２１によって切断される。すなわち、移動手段４を下方に移動させることにより、石膏ボード１０を面取りされた状態で切断することができ、作業効率を大幅に向上させることができる。
【００５４】
このように、本実施形態にかかるボード切断機１によれば、立掛けられた状態の石膏ボード１０を、水平方向や垂直方向に切断するとともに切断部の面取りをまとめて行うことができるので、作業性を大幅に向上させることができる。また、立った状態の楽な作業姿勢で作業できるので、作業者の肉体的疲労を軽減することができるとともに、場作業所の省スペース化を図ることができる。
【００５５】
以上、本発明のボード切断機について、好ましい実施形態を示して説明したが、本発明に係るボード切断機は、上述した実施形態にのみ限定されるものではなく、本発明の範囲で種々の変更実施が可能であることは言うまでもない。
例えば、ボード切断機１は、移動手段４を移動させることにより、石膏ボード１０に対して、切断用刃物２１と面取り用刃物２５を移動させる構成としてあるが、移動手段４を固定し、石膏ボード１０を切断用刃物２１と面取り用刃物２５の間に押し込むことにより、石膏ボード１０を切断及び面取りする構成としてもよい。
また、石膏ボード１０が水平方向に移動しないように支持する鉤状の水平方向押え３６（図１及び図１１（ａ）参照）を、垂直方向及び左右のフレーム３１に取付け自在に設けるとよく、このようにすると、切断手段２が水平方向押え３６と干渉するといった不具合を回避することができる。
【００５６】
さらに、ボード切断機１は、ボード切断機１を切断方向に傾斜させる傾斜手段を設けた構成としてもよい。この傾斜手段は、図１６に示すように、レール４１１及び梁部材３２０,３５０の右側端部が溶接された角パイプ３１ａと、この角パイプ３１ａを、右側のフレーム３１の柱状部材３１ｂに、高さ位置を変更自在に取り付けるボルト（図示せず）とからなっている。このようにすると、右側のフレーム３１を下方へスライドさせて（角パイプ３１ａを上方に持ち上げて）、角パイプ３１ａを柱状部材３１ｂに固定することにより、ボード切断機１を右斜め上方に傾いた状態で設置することができる。これにより、石膏ボード１０を水平方向に切断する際、移動手段４（図示せず）を右斜め上方から左斜め下方に降下させながら切断できるので、重力を利用して容易に切断することができる。また、切断の際、ボード切断機１が左方向にスリップするのを効果的に防止することができる。
【産業上の利用可能性】
【００５７】
以上説明したように、本発明のボード切断機は、石膏ボードの切断に限定されるものではなく、たとえば、木製又は樹脂製の板状部材の切断に広く適用することができる。
【図面の簡単な説明】
【００５８】
【図１】本発明の一実施形態に係るボード切断機の概略正面図を示している。
【図２】本発明の一実施形態に係るボード切断機の概略拡大側面図を示している。
【図３】本発明の一実施形態に係るボード切断機の、切断用刃物側の切断手段及び移動手段を説明するための要部の概略拡大分解図を示している。
【図４】本発明の一実施形態に係るボード切断機の、切断手段の切断方向の切替を説明するための要部の概略拡大分解図を示している。
【図５】本発明の一実施形態に係るボード切断機の、面取り用刃物側の切断手段を説明するための要部の概略拡大分解図を示している。
【図６】本発明の一実施形態に係るボード切断機の、切断用刃物と面取り用刃物の取付け位置関係を説明するための要部の概略拡大図であり、（ａ）は正面図を、（ｂ）は側面図を示している
【図７】本発明の一実施形態に係るボード切断機の、切断用刃物と面取り用刃物の切断状態を説明するための要部の概略図であり、（ａ）は切断中の斜視図を、（ｂ）は切断後の斜視図を示している
【図８】本発明の一実施形態に係るボード切断機の、第一応用例にかかる移動手段を説明するための要部の概略拡大分解図を示している。
【図９】本発明の一実施形態に係るボード切断機の、第二応用例にかかる移動手段を説明するための要部の概略拡大分解図を示している。
【図１０】本発明の一実施形態に係るボード切断機の、第三応用例にかかる移動手段を説明するための要部の概略拡大分解図を示している。
【図１１】本発明の一実施形態に係るボード切断機の載置台を説明するための要部の概略図であり、（ａ）は図２におけるＡ−Ａ断面図を、（ｂ）は図２におけるＢ−Ｂ断面図を示している。
【図１２】本発明の一実施形態に係るボード切断機のボード支持手段を説明するための要部の概略拡大図であり、（ａ）は斜視図を、（ｂ）は上面図を示している。
【図１３】本発明の一実施形態に係るボード切断機のボード支持手段の動作を説明するための要部の概略拡大図であり、（ａ）は係止部材が係止を解除した状態の上面図を、（ｂ）は支持部材が回動した後、係止部材によって係止された状態の上面図を示している。
【図１４】本発明の一実施形態に係るボード切断機が、石膏ボードを水平方向に切断する状態を説明するための要部の概略図であり、（ａ）は切断前の状態の斜視図を、（ｂ）は切断中の斜視図を示している。
【図１５】本発明の一実施形態に係るボード切断機が、石膏ボードを垂直方向に切断する状態を説明するための要部の概略図であり、（ａ）は切断前の状態の斜視図を、（ｂ）は切断中の斜視図を示している。
【図１６】本発明の一実施形態に係るボード切断機の応用例を説明するための要部の概略図であり、（ａ）は斜視図を、（ｂ）は正面図を示している。
【符号の説明】
【００５９】
１  ボード切断機
２，２ａ，２ｂ  切断手段
３  載置台
４  移動手段
４ａ  主移動手段
４ｂ  従移動手段
１０  石膏ボード
１１  表面
１２  裏面
１３  切断面
１４  面取り面
２１  切断用刃物
２２  刃物受け
２２ａ  軸部
２５，２５ａ，２５ｂ  面取り用刃物
３１  フレーム
３１ａ  角パイプ
３１ｂ  柱状部材
３２  ボード支持手段
３５  ボード裏支え手段
３６  水平方向押え
４１ａ，４１ｂ  水平方向移動部材
４５  垂直方向移動板
４６  連結板
２１１  固定板
２２１  ピン
２２２  中央板
２２３  連接棒
２２４  切断方向切替レバー
２５１  固定板
２５２  テーパ面
３２０  梁部材
３２１  支持部材
３２２  係止部材
３２３  回動軸
３５０  梁部材
４１１  レール
４１２  基板
４１３  側板
４１４  ローラ
４５１  円孔
４５２  ローラ
４５３  レール
４５４  載置ローラ
４５５  当接ローラ
４６１  ラック
４６２  ピニオン
４６３  回転軸
４７１  ローラ
４７２  レール
４８１  ラック
４８２  ピニオン
３２１１  左アーム
３２１２  右アーム
３２１３  段付き部
３２１４  曲面
３２１５  係止溝
３２２１  くさび
３２２２  当接部
【図１】
2006240126.tif 000003
【図２】
2006240126.tif 000004
【図３】
2006240126.tif 000005
【図４】
2006240126.tif 000006
【図５】
2006240126.tif 000007
【図６】
2006240126.tif 000008
【図７】
2006240126.tif 000009
【図８】
2006240126.tif 000010
【図９】
2006240126.tif 000011
【図１０】
2006240126.tif 000012
【図１１】
2006240126.tif 000013
【図１２】
2006240126.tif 000014
【図１３】
2006240126.tif 000015
【図１４】
2006240126.tif 000016
【図１５】
2006240126.tif 000017
【図１６】
2006240126.tif 000018